(57)【特許請求の範囲】
【請求項１】
一方向が長く形成されている１本の柄部と、
この柄部の長手方向に連続して、且つ屈曲して形成されている切断部と、
この切断部に連続して、且つ前記柄部と反対方向に屈曲して形成されている押圧部と、を有することを特徴とする調理具。
【請求項２】
前記押圧部には、潰し用凹凸部及びへら部が形成されていることを特徴とする請求項１に記載の調理具。
【請求項３】
前記潰し用凹凸部が前記押圧部の端部に比べ、盛り上がるように形成されていることを特徴とする請求項２に記載の調理具。
【請求項４】
前記潰し用凹凸部が裏ごし用メッシュ部となっていることを特徴とする請求項２に記載の調理具。
【請求項５】
前記切断部には、前記切断部の前記柄部側から前記押圧部側にかけて少なくと１つの刃部が形成されていることを特徴とする請求項１乃至請求項４のいずれかに記載の調理具。
【請求項６】
前記刃部が相互に平行に複数個配置されていることを特徴とする請求項５に記載の調理具。
【請求項７】
前記切断部の前記複数個配置されている刃部の間には、開口部が設けられていることを特徴とする請求項６に記載の調理具。
【請求項８】
前記刃部が金属製の刃部であることを特徴とする請求項５乃至請求項７のいずれかに記載の調理具。
【請求項９】
前記金属製の刃部が前記切断部の樹脂部分とインサート成形により一体に形成されていることを特徴とする請求項８に記載の調理具。
【請求項１０】
前記金属製の刃部が矩形を成し、この刃部の前記押圧部側には樹脂製の突起部が連続して形成され、この突起物は、前記押圧部の表面と前記矩形の刃部の角部とを結ぶような外形を成していることを特徴とする請求項５乃至請求項９のいずれかに記載の調理具。
【請求項１１】
前記刃部が樹脂からなると共に、この刃部の前記押圧側は、前記押圧部の表面に向かってアール部が形成されていることを特徴とする請求項５乃至請求項７のいずれかに記載の調理具。
【請求項１２】
前記柄部には、使用者が握る握り部と、
使用に際し、周囲にこの柄部が接触するのを回避するための接触回避部と、が設けられていることを特徴とする請求項１乃至請求項１１に記載の調理具。
【請求項１３】
前記接触回避部が、前記押圧部又は前記切断部の使用に際し、使用者の指等を配置する指配置部となっていることを特徴とする請求項１２に記載の調理具。
【請求項１４】
前記柄部の少なくとも一部が、前記押圧部の表面に対して略垂直方向に配置されていることを特徴とする請求項１乃至請求項１３のいずれかに記載の調理具。
【請求項１５】
前記柄部には、他の食器を係合することができる食器係合部が設けられていることを特徴とする請求項１乃至請求項１４のいずれかに記載の調理具。
【発明の詳細な説明】
【０００１】
【発明の属する技術分野】
この発明は、例えば調理具、特に対象物の切断部と押圧部とを有する調理具に関するものである。
【０００２】
【従来の技術】
乳幼児は出生した後、暫くはミルク等を飲んでいるが、その後、大人の食事と同じものを徐々に摂取するようになる。
このような、ミルク後であって、大人の食事前である段階では、所謂離乳食を乳幼児に与えている。
この離乳食を保護者が用意するときは、乳幼児用に調理する場合以外に、大人が食べる麺や野菜類などを利用して容器に取り分け、この麺や野菜類等を乳幼児が食べ易い大きさ等に加工することがある。
すなわち、容器内の麺等を調理具でカットして小さくしたり、マッシュして潰したりして、乳幼児が食べ易い状態に加工している。
【０００３】
【発明が解決しようとする課題】
ところが、このような調理具を保護者が使用しようとすると、麺等をカットするカッターとマッシュ（潰す）するマッシャーという２つの調理具を用いなければならず、使い難いという問題があった。
また、このような使い難さを軽減するため、カッターとマッシャーの２つ機能を１つの調理具が有しているものもある。
しかし、この調理具のカッターは麺等を挟んでカットするタイプであり、小さな容器内では、カットする麺等を視認し難く、挟み難い、それゆえカットし難く、麺類を切断する長さの調整もできないという問題があった。
【０００４】
さらに、このようなタイプの調理具では、カットに際して、麺等を挟む動作を求め、マッシュする際には、麺等を押し付ける動作を求めることになる。
したがって、保護者は、カットする際は、調理具の複数の柄を相互に近接させ易いように把持し、先端部で麺等を挟みカットする。また、マッシュする際は、複数の柄をまとめて握り、容器内の麺等に対して押し付け易いように握り変え、先端部で麺等を押し潰し、マッシュする必要がある。
このとき、挟む動作と潰す動作は、力を入れる方向が異なるため、保護者は調理具の握りを大きく変えながらカット及びマッシュしなければならない。このため、スムーズに１つの調理具で麺等をカット及びマッシュすることができないという問題があった。
また、挟む構造とする為に、２つの切断面となり、調理中の目詰まりをし易く、更に洗いずらいという問題があった。
【０００５】
本発明は、このような問題を解決するためになされたもので、使用者が切断部を使用する際に対象物を視認し易く、且つ、切断部を使用する際と押圧部を使用する際とで、大きく握り方を変更する必要がなく、使用し易い調理具を提供することを目的とする。
【０００６】
【課題を解決するための手段】
上記目的は、請求項１の発明によれば、一方向が長く形成されている１本の柄部と、この柄部の長手方向に連続して、且つ屈曲して形成されている切断部と、この切断部に連続して、且つ前記柄部と反対方向に屈曲して形成されている押圧部と、を有することを特徴とする調理具により、達成される。
【０００７】
請求項１の構成によれば、一方向が長く形成されている１本の柄部と、この柄部の長手方向に連続して、且つ屈曲して形成されている切断部と、この切断部に連続して、且つ前記柄部と反対方向に屈曲して形成されている押圧部と、を有するので、対象物を切断部で切断する際にも、対象物を挟む動作は必要とせず、対象物に対し切断部を押し付ける動作でよい。このため、例えば容器内の対象物を視認し易くなる。
また、対象物を押圧部で例えば潰す際にも、対象物に対して押圧部を押し付ける動作が求められる。すなわち、押圧部と切断部を使用する際は、共に押し付ける動作で良く、従来と異なり挟む動作等は不要ため、スムースに対象物の切断や潰し等をすることができる。
【０００８】
好ましくは、請求項２の発明によれば、請求項１の構成において、前記押圧部には、潰し用凹凸部及びへら部が形成されていることを特徴とする調理具である。
請求項２の構成によれば、前記押圧部には、潰し用凹凸部、へら部及び収容凹部が形成されているので、前記押圧部の潰し用凹凸部で、対象物を潰すことができ、この潰した対象物をへら部で集めることができる。
【０００９】
好ましくは、請求項３の発明によれば、請求項２の構成において、前記潰し用凹凸部が前記押圧部の端部に比べ、盛り上がるように形成されていることを特徴とする調理具である。
請求項３の構成によれば、前記潰し用凹凸部が前記押圧部の端部に比べ、盛り上がるように形成されているので、この潰し用凹凸部の表面が対象物を収容する容器等の形状に近くなる。したがって、潰し用凹凸部で対象物を潰し易くなる。
【００１０】
好ましくは、請求項４の発明によれば、請求項２の構成において、前記潰し用凹凸部が裏ごし用メッシュ部となっていることを特徴とする調理具である。
請求項４の構成によれば、前記潰し用凹凸部が裏ごし用メッシュ部となっているので、この調理具により対象物の裏ごしをすることができる。
【００１１】
好ましくは、請求項５の発明によれば、請求項１乃至請求項４のいずれかの構成において、前記切断部には、前記切断部の前記柄部側から前記押圧部側にかけて少なくと１つの刃部が形成されていることを特徴とする調理具である。
請求項５の構成によれば、前記切断部には、前記切断部の前記柄部側から前記押圧部側にかけて少なくと１つの刃部が形成されているので、使用者が前記柄部を把持し、対象物に対して切断部を押し付けることで、対象物を前記切断部の前記柄部側から前記押圧部側の方向に切断することができる。
【００１２】
好ましくは、請求項６の発明によれば、請求項５の構成において、前記刃部が相互に平行に複数個配置されていることを特徴とする調理具である。
請求項６の構成によれば、前記刃部が相互に平行に複数個配置されているので、この相互の刃部の間隔を調整することで、対象物を離乳食等の目的にあった適切な長さにカットすることがでできる。
【００１３】
好ましくは、請求項７の発明によれば、請求項６の構成において、前記切断部の前記複数個配置されている刃部の間には、開口部が設けられていることを特徴とする調理具である。
請求項７の構成によれば、前記刃部の間には、開口部が設けられているので、使用者が前記開口部から対象物を視認しながら前記刃部で対象物を切断することができ、更に切断された対象物が刃部の間に詰まることがない。
【００１４】
好ましくは、請求項８の発明によれば、請求項５乃至請求項７のいずれかに記載の構成において、前記刃部が金属製の刃部であることを特徴とする調理具である。
請求項８の構成によれば、前記刃部が金属製の刃部であるので、対象物をより切断し易くなる。
【００１５】
好ましくは、請求項９の発明によれば、請求項８の構成において、前記金属製の刃部が前記切断部の樹脂部分とインサート成形により一体に形成されていることを特徴とする調理具である。
請求項９の構成によれば、前記切断部において、前記金属製の刃部が前記切断部の樹脂部分とインサート成形により一体に形成されているので、前記刃部で切断した対象物が刃部と前記樹脂部分との間に詰まることを未然に防ぐことができる。
更に、強度を有する金属がインサートされることにより、前記押圧部に前記柄部側である上部から加わる荷重により、調理具が屈曲部から折れてしまうことを防ぐことができる。
【００１６】
好ましくは、請求項１０の発明によれば、請求項５乃至請求項９のいずれかの構成において、前記金属製の刃部が矩形を成し、この刃部の前記押圧部側には樹脂製の突起部が連続して形成され、この突起物は、前記押圧部の表面と前記矩形の刃部の角部とを結ぶような外形を成していることを特徴とする調理具である。
【００１７】
請求項１０の構成によれば、前記金属製の刃部が矩形を成し、この刃部の前記押圧部側には樹脂製の突起部が連続して形成され、この突起物は、前記押圧部の表面と前記矩形の刃部の角部とを結ぶような外形を成している。したがって、この突起物でも対象物を切断することができるので、前記刃部の前記押圧側と、対象物が収容される皿などの容器の間に生じる前記切断部における切断不能部分（死角部分）が発生せず、対象物に対する切断不良が生じない。
また、前記刃部の前記押圧部側には樹脂製の突起部が連続して形成されているので、この金属製の前記刃部の端部を覆うように樹脂が例えばインサートされると、この樹脂製の突起部が刃部等によって強く固定され、ぐらつくことがなくなる。
【００１８】
好ましくは、請求項１１の発明によれば、請求項５乃至請求項７のいずれかの構成において、前記刃部が樹脂からなると共に、この刃部の前記押圧側は、前記押圧部の表面に向かってアール部が形成されていることを特徴とする調理具である。
請求項１１の構成によれば、前記刃部が樹脂からなると共に、この刃部の前記押圧側は、前記押圧部の表面に向かってアール部が形成されているので、このアール部でも対象物を切断することができるので、前記刃部の前記押圧側に前記切断部における切断不能部分（死角部分）が発生せず、対象物に対する切断不良が生じない。
また、前記刃部及び前記アール部は共に樹脂によりなるので、これらを一体に成型でき、製造が容易となる。
【００１９】
好ましくは、請求項１２の発明によれば、請求項１乃至請求項１１の構成において、前記柄部には、使用者が握る握り部と、使用に際し、周囲にこの柄部が接触するの回避するための接触回避部と、が設けられていることを特徴とする調理具である。
請求項１２の構成によれば、前記柄部には、使用者が握る握り部と、使用に際し、周囲にこの柄部が接触することを回避するための接触回避部と、が設けられているので、対象物が収容されている例えば容器等の縁部に前記柄部が接触して、対象物の切断や潰し等が不十分となるのを未然に防ぐことができる。
【００２０】
好ましくは、請求項１３の発明によれば、請求項１２の構成において、前記接触回避部が、前記押圧部又は前記切断部の使用に際し、使用者の指等を配置する指配置部となっていることを特徴とする調理具である。
請求項１３の構成によれば、前記接触回避部が、前記押圧部又は前記切断部の使用に際し、使用者の指等を配置する指配置部となっているので、使用者は、この指配置部に自己の指を配置することで、前記押圧部や前記切断部に対して力を加え易くなっている。
【００２１】
好ましくは、請求項１４の発明によれば、請求項１乃至請求項１３のいずれかの構成において、前記柄部の少なくとも一部が、前記押圧部の表面に対して略垂直方向に配置されていることを特徴とする調理具である。
請求項１４の構成によれば、前記柄部の少なくとも一部が、前記押圧部の表面に対して略垂直方向に配置されているので、使用者が、自己の手の外側である小指側に、前記押圧部が配置されるように柄部を握り、押圧部を使用する際に、最も力を効果的に加えることができる。
【００２２】
好ましくは、請求項１５の発明によれば、請求項１乃至請求項１４のいずれかの構成において、前記柄部には、他の食器を係合することができる食器係合部が設けられていることを特徴とする調理具である。
請求項１５の構成によれば、前記柄部には、他の食器を係合することができる食器係合部が設けられているので、スプーンやフォーク等他の食器等と一緒に調理具を携行等することができる。
【００２３】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２４】
（第１の実施の形態）
図１は、本発明の調理具である例えば大皿用カッターアンドマッシャー１００を示す概略斜視図である。図２は、大皿用カッターアンドマッシャー１００の概略正面図である。図３は、図２の概略平面図、図４は図３の概略左側面図である図１に示すように、大皿用カッターアンドマッシャー１００は、先ず、平板状の柄部１１０を有している。この柄部１１０は、例えばポロプロピレン（ＰＰ）等の樹脂から成っていると共に、その断面は、図１で破線で示すように内側に凹部が形成される形状となっている。
【００２５】
この柄部１１０は、図２に示すように、使用者が使用に際して握る握り部１１１と接触回避部１１２とを有している。握り部１１１から一定の角度屈曲して接触回避部１１２が形成されている。
このように接触回避部１１２を形成することで、対象物である例えば麺類等の食品を入れた容器である例えば大皿の縁部に柄部１１０が接触することなく、後述の切断部であるカッター部１２０や押圧部であるマッシャー部１３０を大皿内に挿入することができるようになっている。
また、この柄部１１０の握り部１１１の配置角度は、図２に示すように、マッシャー部１３０の潰し用凹凸面であるマッシュ面１３１に対して略垂直方向となっている。したがって、大皿の食品等を潰す（マッシュ）際は、使用者である保護者が握り部１１１を持てば、マッシュ面１３１に最も力が加わる位置に握り部１１１が配置されていることになる。
【００２６】
また、この柄部１１０の接触回避部１１２の表面には、指配置部１１２ａが形成されている。具体的には、保護者が柄部１１０を握ってカッター１２０を大皿の麺類等に対して押し付ける際、この指配置部１１２ａに保護者の親指を図５に示すように配置することカッター部１２０に対して効果的に力を加えることができる。図５は、大皿用カッターアンドマッシャー１００のカッター部１２０の使用状態を示す説明図である。
そして、この指配置部１１２ａには、指が滑らないための滑り止め凸部１１２ｂが図１に示すように形成されている。
【００２７】
さらに、柄部１１０の握り部１１１には、図３に示すように指かかり用凹凸部１１１ａが形成されている。この図３において波線状に表れている指かかり用凹凸部１１１ａは、保護者が図５に示すように柄部１１０を把持した際に親指を除く他の指がこの指かかり用凹凸部１１１ａの凹部に配置される。したがって、保護者が柄部１１０をより握り易い構成となっている。
【００２８】
以上のように構成される柄部１１０の先端部には、図１に示すようにカッター部１２０が形成されている。
このカッター部１２０は、図１に示すように柄部１１０と連続して設けられている同じ樹脂製のカッター基部１２１が形成されている。このカッター基部１２１の中央部には、略四角形の開口部１２１ａが形成されている。
また、カッター基部１２１の図１において下側には、金属製の刃部１２２が２本平行に配置されている。この２本の刃部１２２は、柄部１１０の長手方向に略平行に配置されている。
【００２９】
具体的には、この刃部１２２は、図６に示すような刃部用部品１２３の一部となっており、刃部１２２は、刃部ベース１２３ａによって支持されている。
この刃部用部品１２３は、ＳＵＳ等の金属製でなり、樹脂に対するインサート成型の部品となっている。すなわち、この刃部用部品１２３の刃部以外の部分をカッター基部１２１内にインサート成型することで、刃部１２２のみがカッター基部１２１より突出して形成されることになる。
このように刃部ベース１２３ａが樹脂製のカッター基部１２１内に収容されるので、突出した刃部１２２は、使用に際してもぐらつかず、しっかりと配置されることになる。
また、このように強度を有する金属製の刃部用部品１２３がカッター基部１２１内にインサート成型されているので、カッター部１２０の剛性が高まり、使用者が柄部１１０を握って、大皿用カッターアンドマッシャー１００を使用しても、その荷重で屈曲部から折れてしまうことがない。
【００３０】
また、カッター部１２０には、図１に示すように２つの刃部１２２の間に開口部が設けられているので、図５に示すようにカッター部１２０で大皿内の麺類等をカットする際、麺類等を開口部１２１ａから視認しながらカットできる。したがって、保護者は例えば離乳食を作る場合は、その乳幼児に合った大きさに麺類をカットすることができる。
更に、切断された麺類がカッター部１２０の刃部１２２の間に詰まることが少ない。
ところで、この２つの刃部１２２の間隔は例えば２ｃｍ程度となっている。
【００３１】
以上のように構成されるカッター部１２０の柄部１１０と反対側には一定の角度で屈曲されたマッシャー部１３０が図１に示すように形成されている。
このマッシャー部１３０の表面には、図１に示すようにマッシュ面１３１が設けられている。このマッシュ面１３１の表面には、図４に示すように半円形の凹部１３１ａが例えば１６個程度形成されている。
このようにマッシュ面１３１に、凹凸部が設けられているので、マッシュ面１３１を大皿の食品に押し付けることで、食品を潰し、マッシュすることが容易となる。
【００３２】
また、このマッシュ面１３１は、上述のように柄部１１０の握り部１１１が略垂直方向に配置されるように配置される。すなわち、図７に示すように保護者が握り部１１１を握って、マッシュ面１３１を大皿内の食品に対して押し付けた際、握り部１１１を延長した仮想線（点線）がマッシュ面１３１に対して略垂直になる。
したがって、保護者の力が最も効果的にマッシュ面１３１に加わることになる。
そして、このマッシャー部１３０には、図１及び図２に示すように、その先端部にへら部１３２が形成されている。このへら部１３２は、カッター部１２０やマッシャー部１３０で、カットやマッシュされた麺類等の食品を大皿内で掻き集めるときに使用される。
すなわち、保護者が柄部１１０の握りを変え、へら部１３２を大皿に当接させるようにし、このへら部１３２で大皿内の麺類等の食品を掻き集めることになる。
【００３３】
大皿用カッターアンドマッシャー１００は、以上のように構成されるが、以下、その使用方法等を説明する。
先ず、離乳食を作ろうとする保護者は、大皿（深さ方向が比較的浅く、開口面積が比較的大きい、例えば、深さ２７ｍｍ、半径７５ｍｍ）１４０（図２参照）の略円形の大皿内に加工しようとする麺類等の食品を適量入れる。
その後、保護者は、図５に示すように柄部１１０の握り部１１１を握り、親指を指配置部１１２ａに配置する。すると、親指及び他の指は、指配置部１１２ａの滑り止め凸部１１２ｂと握り部１１１の指かかり用凹凸部１１１ａによって滑ることがないので、大皿用カッターアンドマッシャー１００に対して効果的に力を加えることができる。
【００３４】
この状態で、この大皿用カッターアンドマッシャー１００を図２に示すように大皿１４０内に入れ、例えば先ず、麺類をカッター部１２０の刃部１２２でカットする。
このとき、保護者はカットする麺類をカッター部１２０の開口部１２１ａから視認しながら、カットすることができるので、正確にカットすることができる。また、刃部１２２の間隔は例えば２ｃｍとなっているので、離乳食を作るのに適した長さにカットすることができる。さらに、カットした麺類が刃部１２２の間に配置された場合は、開口部１２１ａから排出されるので、カットされた麺類が刃部１２２の間に詰まってしまうことがない。
【００３５】
このカット作業は、単に保護者が図５に示すように柄部１１０を握り、大皿１４０内の麺類に対して押し付けるだけなので、従来と異なり、挟む動作は必要ない。したがって、容易且つ確実に麺類をカットすることができる。また、この刃部１２２は金属製なので、カットし易くも成っている。
さらに、この大皿用カッターアンドマッシャー１００には、図２に示すように、接触回避部１１２が設けられているので、大皿１４０の縁部１４１に柄部１１０が接触等することなく、カット作業を行うことができる。
【００３６】
次に、保護者は、柄部１１０の握りを変え、図７に示すように握る。そして、大皿１４０内の食品をマッシュ（潰す）する。
このとき、上述のように握り部１１１がマッシュ面１３１に対して略垂直方向に配置されるので、保護者はその力を最も効果的に利用して、マッシュすることができる。
また、このマッシュ作業は、カット作業と同様に握り部１１１を握ることで行い、その相違は握り方に過ぎない。したがって、従来のようにカット作業が挟む動作、マッシュ作業が押す動作となって作業がし難いということがない。
すなわち、本実施の形態では、カット作業もマッシュ作業も共に押し付ける動作であることが共通するため、極めて作業性が良好な大皿用カッターアンドマッシャー１００となる。
【００３７】
このようにカットやマッシュされた麺類等の食品は、大皿１４０の中で散乱してしまう。そこで、保護者は、柄部１１０の握りを変え、図２のへら部１３２が大皿１４０に当接するようにし、このへら部１３２で、散乱している麺類等を１つにまとめて、図示しない別のスプーン等で乳幼児にあたえる。
したがって、大皿１４０内で散乱している麺類等の食品を別体のへらを使って掻き集める必要がなく、効率良くまとめることができる。
【００３８】
本実施の形態では、マッシュ面１３１に凹凸部が形成されているが、この凹凸部の代わりに、裏ごしメッシュ部を形成すれば、マッシュ面１３１を用いて食品の裏ごしをすることができる。
【００３９】
（第２の実施の形態）
図８は本発明の第２の実施の形態に係る小皿用カッターアンドマッシャー２００の全体を示す概略斜視図である。図９は図８の底面方向から見た小皿用カッターアンドマッシャー２００の概略斜視図である。
本実施の形態に係る小皿用カッターアンドマッシャー２００は、上述の第１の実施の形態の大皿用カッターアンドマッシャー１００と、その構成が多くの部分で共通しているため、共通している部分は、同一符号として説明を省略し、相違点を中心に以下、説明する。
【００４０】
図８に示すように、本実施の形態の小皿用カッターアンドマッシャー２００は、第１の実施の形態と同様に柄部２１０を有し、握り部２１１と接触回避部２１２とを有している。
しかし、本実施の形態の小皿用カッターアンドマッシャー２００は、第１の実施の形態の大皿用カッターアンドマッシャー１００と接触回避部２１２の角度が相違している。
すなわち、図１０に示すように、本実施の形態の小皿用カッターアンドマッシャー２００の接触回避部２１２の角度θが図２の第１の実施の形態の角度θより大となっている。
【００４１】
これは、図１０で破線で示す小皿２４０の場合は、第１の実施の形態の大皿１４０より深さが深く、開口面積が小さくなっている。例えば、深さ４５        ｍｍ、半径５０ｍｍとなっている。
このため、この接触回避部２１２の角度が第１の実施の形態のように小さいと、柄部２１０が小皿２４０の縁部２４１に接触等し、適切にカット又はマッシュできないことになる。
ところで、図１０は、小皿用カッターアンドマッシャー２００の概略正面図であり、図１１は図１０の概略左側面図である。
【００４２】
また、図９に示すように、この柄部２１０の接触回避部２１２には、凹状に指配置部２１２ａが形成されている。具体的には、保護者が柄部２１０を握ってマッシャー部２３０を小皿２４０内の食品に対して押し付ける際、この指配置部２１２ａに図１４に示すように、保護者の人差し指を配置することで、マッシャー部２３０に対して効果的に力を加えることができるようになっている。
そして、この指配置部２１２ａは、凹状になっているため、配置した人差し指が滑らないようになっている。
【００４３】
そして、図８乃至図９に示すカッター部１２０は第１の実施の形態と略同様の構成であるが、マッシャー部２３０は、第１の実施の形態と異なる。
すなわち、マッシャー部２３０のマッシュ面２３１は、図１０及び図１１に示すように、左側方向に盛り上がるように形成されている。具体的には、図１１のマッシュ面２３１の端部２３１ａから中央部にかけて盛り上がるように、マッシュ面２３１は形成されている。
このようにマッシュ面２３１が盛り上がって形成されていることにより、図１０に示す小皿２４０の形状に沿うことができるようになり、より精度良く食品をマッシュすることができる。
【００４４】
また、このマッシュ面２３１には、図８及び図１１に示すように、凸山形筋の段部２３１ｂが同心円状に形成されている。
この段部２３１ｂが第１の実施の形態の凹凸部と同様の働きをし、食品を直接的にすり潰す動きにより、マッシュすることになる。
そして、このマッシュ部２３０の内側には、第１の実施の形態と異なり、図１１に示すように収容凹部である球凹状部２３３がスプーンのように形成されている。
この球凹状部２３３を示したのが図１２である。図１２に示すように球凹状部２３３の図において上部には、第１の実施の形態と同様にへら部２３２が形成されている。
したがって、例えばマッシュ面２３１でマッシュした食品が、小皿２４０内に散乱していていても、へら部２３２で掻き集め、その後、球凹状部２３３内に収容することで、容易にマッシュされた食品を取り出すことができる。
【００４５】
このように構成されている第２の実施の形態に係る小皿用カッターアンドマッシャー２００は、図１３及び図１４に示すように使用される。
すなわち、図１３は、この小皿用カッターアンドマッシャー２００で麺類等をカットしている状態を示す図である。
図１３に示すように、保護者は、自己の親指と人差し指を柄部２１０の接触回避部２１２の両側に添え、柄部２１０全体を握った状態で、麺類等をカットする。
図１３に示す、小皿用カッターアンドマッシャー２００の握り方は、一例であって、これに限らず、保護者の握り易い方法で握ることができる。
例えば、柄部２１０全体を握り、人差し指を接触回避部２１２の図１３における上部に置いて使用することもできる。この場合は、カッター部１２０に力を加え易いので、より硬めの対象物をより容易に切断できる。
【００４６】
また、図１４は、小皿用カッターアンドマッシャー２００で、食品をマッシュしている状態を示す図である。
図１４に示すように、保護者は、自己の人差し指を接触回避部２１２の指配置部２１２ａに配置し、柄部２１０全体を握った状態で食品をマッシュすることになる。このとき、上述のように前記人差し指は、凹状の指配置部２１２ａ内に配置されるので、人差し指が滑ることなくマッシュ面２３１のほぼ反対側より効果的に力をマッシュ面２３１に加えることができる。
【００４７】
ところで、本実施の形態では、マッシュ面２３１に段部２３１ｂが形成されているが、この段部２３１ｂの代わりに、第１の実施の形態のように、裏ごしメッシュ部を形成すれば、マッシュ面２３１を用いて食品の裏ごしをすることができる。
また、本実施の形態の球凹状部２３３を第１の実施の形態のマッシャー部１３０に設けることもできる。
【００４８】
（第３の実施の形態）
図１５は、本発明の第３の実施の形態に係る大皿用カッターアンドマッシャー３００を示す図である。図３に示す大皿用カッターアンドマッシャー３００の多くの構成は上述の第１の実施の形態と同様であるので、同様の構成は同一符号とし、説明を省略する。そして、以下、その相違点を中心に説明する。
図１５に示すように、柄部１１０の図において上面には、スプーン３２０を係合し、装着するための食器係合部３１１が凸状に配置されている。
一方、この食器係合部３１１に係合する係合穴部３２１がスプーン３２０に形成されている。
【００４９】
したがって、このスプーン３２０の係合穴部３２１と柄部１１０の食器係合部３１１とを係合させることで、図１６に示すように、スプーン３２０が大皿用カッターアンドマッシャー３００に固定され、保護者は、これらを一緒に携行でき、必要に応じてスプーン３２０を外して使用することができる。
具体的には、先ず、スプーン３２０を、大皿用カッターアンドマッシャー３００から取り外す。そして、大皿１４０内で食品をカット、マッシュし、離乳食を作った後、この離乳食をスプーン３２０ですくって、大皿１４０から取り出し、乳幼児に与えることになる。
離乳食を乳幼児に与え終わったら、再び、スプーン３２０を柄部１１０に係合させ、携帯する。
【００５０】
（第４の実施の形態）
図１７は、本発明の第４の実施の形態に係る小皿用カッターアンドマッシャー４００を示す図である。
図１７に示す小皿用カッターアンドマッシャー４００は、上述の第２の実施の形態の小皿用カッターアンドマッシャー４００と、多くの構成が共通するので、同一の構成は同一符号とし、以下、異なる構成を中心に説明する。
本実施の形態の小皿用カッターアンドマッシャー４００は、第２の実施の形態の小皿用カッターアンドマッシャー２００と刃部４２２の構成が異なる。
ところで、上述の第２の実施の形態の小皿用カッターアンドマッシャー２００は、図１０に示すようにカッター基部１２１から略四角形の刃部１２２が下方に突出している。
【００５１】
したがって、図１０においてＢで示した部分は、刃部１２２が存在しない切断不能部分となる。そして、この切断不能部分に麺類等が入り込んだ場合、刃部１２２では、カットしにくくなる。
これに対して、本実施の形態の刃部４２２は、図１７に示すように、刃部４２２が上記空白部分を埋めるように図において左右方向に突出して形成されているため、麺類等がカットしにくい切断不能部分の発生を未然に防ぐことができ、麺類等の未カット部分が生じ難くなる。
【００５２】
また、この刃部４２２のマッシャー部２３０側である左方向に突出した刃部４２２の部分は、その先端部が、マッシャー部２３０のマッシュ面２３１の仮想延長線（図において破線部分）の右側となっている。
したがって、この突出した刃部４２２の先端がマッシュ面２３１を使用する際の妨げになることがない。
さらに、刃部４２２の右方向に突出した部分は、図示するように、ケース４２０の装着の妨げにならない程度に突出している。
このように、本実施の形態によれば、カットに際し、カットする幅を広く確保し、カット漏れが生じ難い刃部４２２を有する小皿用カッターアンドマッシャー４００であると共に、マッシュ時やケース収納時にも取り扱い易いものとなっている。
【００５３】
また、本実施の形態では小皿用カッターアンドマッシャー４００としたが、第１の実施の形態の大皿用カッターアンドマッシャー１００の刃部１２２に適用できることは明らかである。
【００５４】
（第５の実施の形態）
図１８は、本発明に第５の実施の形態に係る小皿用カッターアンドマッシャー５００のカッター部５２０及びマッシャー部２３０を示す概略斜視図である。
本実施の形態の小皿用カッターアンドマッシャーは５００の構成は、上述の第２の実施の形態の小皿用カッターアンドマッシャー２００と略同様であるので、同一の部分は同一符号を付し説明を省略し、以下、相違点を中心に説明する。
本実施の形態の小皿用カッターアンドマッシャー５００は、上述の第２の実施の形態の小皿用カッターアンドマッシャー２００と、カッター部５２０が相違する。
【００５５】
図１８に示すように、カッター部５２０の刃部５２２のマッシャー部２３０側には、樹脂製の突起部５２２ａが形成されている。この突起部５２２ａは、金属製の刃部５２２のマッシャー部２３０側の角部とマッシャー部２３０のマッシュ面２３１とを結ぶようなアール部である外形を成している。
具体的には、突起部５２２ａが刃部５２２の一部を内部に包含するようにインサート成型されている。
このように刃部５２２とマッシュ面２３１を結ぶように突起部５２２ａを形成することで、図１０においてＢで示した部分である上述の切断不能部分のうち、マッシャー部２３０側の切断不能部分が埋められるため、この部分に麺類等が入り込んだで、刃部５２２でカットしにくくなるのを防止できる。
【００５６】
また、この突起部５２２ａの幅を薄く形成することで、麺類等をこの突起部５２２ａで容易に押し切ることができ、刃部５２２がマッシュ面２３１まで伸ばされたと同様の効果を発揮する。
さらに、金属製の刃部５２２の一部を覆うようにインサート成型するので、この突起部５２２ａが刃部５２２により支持され、突起部５２２ａのぐらつきを有効に防止される。
なお、本実施の形態では、小皿用カッターアンドマッシャー５００に適用したが、本実施の形態のカッター部５２０を第１の実施の形態に係る大皿用カッターアンドマッシャー１００に適用することもできる。
【００５７】
（第６の実施の形態）
図１９乃至図２１は、本発明の第６の実施の形態に係る小皿用カッターアンドマッシャー６００を示す図である。図１９は、小皿用カッターアンドマッシャー６００の主にカッター部６２０及びマッシャー部２３０を示す概略正面図である。図２０は、図１９の左側面からマッシャー部及び刃部５２２を見た部分側面図である。図２１は、図１９の小皿用カッターアンドマッシャー６００の概略底面図である。
【００５８】
本実施の形態の小皿用カッターアンドマッシャーは６００の構成は、上述の第２の実施の形態の小皿用カッターアンドマッシャー２００と略同様であるので、同一の部分は同一符号を付し説明を省略し、以下、相違点を中心に説明する。
本実施の形態の小皿用カッターアンドマッシャー６００は、上述の第２の実施の形態の小皿用カッターアンドマッシャー２００と、カッター部５２０が相違する。
すなわち、図１９に示すように、本実施の形態の刃部６２２は、第２の実施の形態と異なり、金属製ではなくポリカーボネートやポリエーテルサルファン又は、ポリプロピレン等の樹脂からなり、この刃部６２２は、図８に示す、カッター部１２０のカッター基部１２１と一体成型されている。
【００５９】
したがって、製造工程や部品点数が少ないため、容易に製造でき、コストダウンも可能である。
また、この樹脂製の刃部６２２は、図１０においてＢで示した部分である上述の切断不能部分が生じないように、図１９に示すようにカッター基部１２１の下側に可能な範囲で長く形成されている。
すなわち、刃部６２２が左方向に突出して、その先端がマッシュ面２３１の使用する際の妨げにならない範囲で形成されている。したがって、麺類等をカットする際に、カットされないカット漏れの麺類等が生じ難くなる。
【００６０】
このように形成されている樹脂製の刃部６２２は、図２０に示すように、その先端部が鋭角になっているため、この刃部６２２を麺類等に押し付けるだけで、容易にカットすることができるようになっている。
なお、本実施の形態では、小皿用カッターアンドマッシャー６００に適用したが、本実施の形態のカッター部６２０を第１の実施の形態に係る大皿用カッターアンドマッシャー１００に適用することもできる。
【００６１】
本発明は、上述の各実施の形態や各変形例に限定されない。さらに、上述の各実施の形態は、相互に組み合わせて構成するようにしてもよい。
【００６２】
【発明の効果】
以上述べたように、本発明によれば、使用者が切断部を使用する際に対象物を視認し易く、且つ、切断部を使用する際と押圧部を使用する際とで、大きく握り方を変更する必要がなく、使用し易い調理具を提供することができる。
【図面の簡単な説明】
【図１】本発明の第１の実施形態の大皿用カッターアンドマッシャーを示す概略斜視図である。
【図２】図１の大皿用カッターアンドマッシャーの概略正面図である。
【図３】図２の概略平面図である。
【図４】図２の概略左側面図である。
【図５】図１の大皿用カッターアンドマッシャーのカッター部を使用している状態を示す概略図である。
【図６】図１の大皿用カッターアンドマッシャーの刃部用部品を示す概略斜視図である。
【図７】図１の大皿用カッターアンドマッシャーのマッシャー部を使用している状態を示す概略図である。
【図８】本発明の第２の実施の形態の小皿用カッターアンドマッシャーを示す概略斜視図である。
【図９】本発明の第２の実施の形態の小皿用カッターアンドマッシャーを示す他の概略斜視図である。
【図１０】図８の小皿用カッターアンドマッシャーの概略正面図である。
【図１１】図８の小皿用カッターアンドマッシャーの概略左側面図である。
【図１２】図８のマッシャー部を示す概略部分斜視図である。
【図１３】図８の小皿用カッターアンドマッシャーのカッター部を小皿に使用している状態を示す概略図である。
【図１４】図８の小皿用カッターアンドマッシャーのマッシャー部を小皿に使用している状態を示す概略図である。
【図１５】本発明の第３の実施の形態の大皿用カッターアンドマッシャーを示す概略斜視図である。
【図１６】図１５のスプーンが柄部に係合された状態を示す概略図である。
【図１７】本発明の第４の実施の形態の小皿用カッターアンドマッシャーを示す概略斜視図である。
【図１８】本発明の第５の実施の形態の小皿用カッターアンドマッシャーを示す概略斜視図である。
【図１９】本発明の第６の実施の形態の小皿用カッターアンドマッシャーを示す概略部分正面図である。
【図２０】図２０の概略部分左側面図である。
【図２１】図１９の概略底面図である。
【符号の説明】
１００、３００・・・大皿用カッターアンドマッシャー、１１０、２１０・・・柄部、１１１，２１１・・・握り部、１１１ａ・・・指かかり用凹凸部、１１２，２１２・・・接触回避部、１１２ａ、２１２ａ・・・指配置部、１１２ｂ・・・滑り止め凸部、１２０，５２０，６２０・・・カッター部、１２１・・・カッター基部、１２１ａ・・・開口部、１２２、５２２・・・刃部、１２３・・・刃部用部品、１２３ａ・・・刃部ベース、５２２ａ・・・突起部、１３０，２３０・・・マッシャー部、１３１、２３１・・・マッシュ面、１３１ａ・・・凹部、２３１ｂ・・・段部、１３２、２３２・・・へら部、２３３・・・球凹状部、１４０・・・大皿、１４１・・・縁部、２４０・・・小皿、２４１・・・縁部、２００、４００、５００、６００・・・小皿用カッターアンドマッシャー、２１０・・・柄部、３１１・・・食器係合部、３２０・・・スプーン、３２１・・・係合穴部
【図１】
0003923722.tif 000002
【図２】
0003923722.tif 000003
【図３】
0003923722.tif 000004
【図４】
0003923722.tif 000005
【図５】
0003923722.tif 000006
【図６】
0003923722.tif 000007
【図７】
0003923722.tif 000008
【図８】
0003923722.tif 000009
【図９】
0003923722.tif 000010
【図１０】
0003923722.tif 000011
【図１１】
0003923722.tif 000012
【図１２】
0003923722.tif 000013
【図１３】
0003923722.tif 000014
【図１４】
0003923722.tif 000015
【図１５】
0003923722.tif 000016
【図１６】
0003923722.tif 000017
【図１７】
0003923722.tif 000018
【図１８】
0003923722.tif 000019
【図１９】
0003923722.tif 000020
【図２０】
0003923722.tif 000021
【図２１】
0003923722.tif 000022